(57)【要約】【課題】ＢＤ系やＨＤ ＤＶＤ系光ディスクの記録再生機能がない光ディスク装置にＢＤ系やＨＤ ＤＶＤ系光ディスクが装填された場合であっても速やかに判別することのできる光ディスク装置および光ディスクの判別方法を提供する。【解決手段】対物レンズのフォーカス方向の移動時間とフォーカスエラー信号によって光ディスクの表面から情報記録面までの距離を計測する計測手段と、該距離から光ディスクの種類を判別する判別手段とを備え、該判別手段は、光ディスクの表面から最も近い情報記録面までの距離が略０．１ｍｍであり光ディスクの表面から２番目近い情報記録面がないときは装填された光ディスクをＢＤ系光ディスクと判定し、光ディスクを再生不可の光ディスクであると判別する。【選択図】図７
2009245562.tif 000002
【特許請求の範囲】
【請求項１】
光ディスクにレーザ光を集光する対物レンズを備え前記光ディスクからの反射光を検出
して検出信号を出力する光ピックアップと、
前記検出信号からフォーカスエラー信号を生成するフォーカスエラー信号生成手段と、
前記対物レンズのフォーカス方向の移動時間と前記フォーカスエラー信号によって前記
光ディスクの表面から情報記録面までの距離を計測する計測手段と、
前記距離から前記光ディスクの種類を判別する判別手段とを備え、
前記判別手段は、前記光ディスクの表面から最も近い情報記録面までの距離が略０．１
ｍｍであり前記光ディスクの表面から２番目近い情報記録面がないとき前記光ディスクを
再生不可の光ディスクであると判別することを特徴とする光ディスク装置。
【請求項２】
光ディスクにレーザ光を集光する対物レンズを備え前記光ディスクからの反射光を検出
して検出信号を出力する光ピックアップと、
前記検出信号からフォーカスエラー信号を生成するフォーカスエラー信号生成手段と、
前記対物レンズのフォーカス方向の移動時間と前記フォーカスエラー信号によって前記
光ディスクの表面から情報記録面までの距離を計測する計測手段と、
前記距離から前記光ディスクの種類を判別する判別手段とを備え、
前記判別手段は、前記光ディスクの表面から最も近い情報記録面までの距離が略０．１
ｍｍであり前記光ディスクの表面から２番目近い情報記録面がないとき前記光ディスクを
再生不可の光ディスクであると判別し、前記光ディスクの表面から最も近い情報記録面ま
での距離が略０．１ｍｍであり前記光ディスクの表面から２番目近い情報記録面が略０．
６ｍｍであるとき前記光ディスクをＤＶＤ系またはＨＤ ＤＶＤ系光ディスクと判別する
ことを特徴とする光ディスク装置。
【請求項３】
前記計測手段は、前記光ディスクの表面から情報記録面までの距離を計測する際に前記
光ディスクを回転させないで計測することを特徴とする請求項１または請求項２記載の光
ディスク装置。
【請求項４】
光ディスクにレーザ光を集光する対物レンズを備え前記光ディスクからの反射光を検出
して検出信号を出力する光ピックアップを有する光ディスク装置において、装填されてい
る光ディスクの種類を判別する光ディスクの判別方法であって、
前記検出信号からフォーカスエラー信号を生成するフォーカスエラー信号生成工程と、
前記対物レンズのフォーカス方向の移動時間と前記フォーカスエラー信号によって前記
光ディスクの表面から情報記録面までの距離を計測する計測工程と、
前記距離から前記光ディスクの種類を判別する判別工程とを備え、
前記判別工程において、前記光ディスクの表面から最も近い情報記録面までの距離が略
０．１ｍｍであり前記光ディスクの表面から２番目近い情報記録面がないとき前記光ディ
スクを再生不可の光ディスクであると判別することを特徴とする光ディスクの判別方法。
【請求項５】
光ディスクにレーザ光を集光する対物レンズを備え前記光ディスクからの反射光を検出
して検出信号を出力する光ピックアップを有する光ディスク装置において、装填されてい
る光ディスクの種類を判別する光ディスクの判別方法であって、
前記検出信号からフォーカスエラー信号を生成するフォーカスエラー信号生成工程と、
前記対物レンズのフォーカス方向の移動時間と前記フォーカスエラー信号によって前記
光ディスクの表面から情報記録面までの距離を計測する計測工程と、
前記距離から前記光ディスクの種類を判別する判別工程とを備え、
前記判別工程において、前記光ディスクの表面から最も近い情報記録面までの距離が略
０．１ｍｍであり前記光ディスクの表面から２番目近い情報記録面がないとき前記光ディ
スクを再生不可の光ディスクであると判別し、前記光ディスクの表面から最も近い情報記
録面までの距離が略０．１ｍｍであり前記光ディスクの表面から２番目近い情報記録面が
略０．６ｍｍであるとき前記光ディスクをＤＶＤ系またはＨＤ ＤＶＤ系光ディスクと判
別することを特徴とする光ディスクの判別方法。
【請求項６】
前記計測工程は、前記光ディスクの表面から情報記録面までの距離を計測する際に前記
光ディスクを回転させないで計測することを特徴とする請求項４または請求項５記載の光
ディスクの判別方法。
【発明の詳細な説明】
【技術分野】
【０００１】
本発明は、装填された光ディスクの種類を判別する光ディスク装置および光ディスク判
別方法に関する。
【背景技術】
【０００２】
ＣＤ（Compact Disc）規格やＤＶＤ（Digital Versatile Disk）規格と呼ばれる複数種
類の記録密度の光ディスクが既に広く普及しているが、近年、青紫色の波長のレーザ光を
用いて情報を記録することにより、さらに記録密度が高められた超高密度光ディスクであ
るＢＤ(Blu-ray Disc)やＨＤ ＤＶＤ(High Definition Digital Versatile Disk)も実用
化されている。
【０００３】
これらのＣＤ系、ＤＶＤ系、ＢＤ系、ＨＤ ＤＶＤ系の光ディスクを全て再生すること
ができる光ディスク装置も登場しているが、多くの光ディスク装置はＢＤやＨＤ ＤＶＤ
を再生できない。また今後もＢＤやＨＤ ＤＶＤの再生または記録を必要としない、つま
りＢＤやＨＤ ＤＶＤの記録再生機能を持たない光ディスク装置が多く製造されることが
予想される。
【０００４】
光ディスク装置では、装填された光ディスクがＣＤ系、ＤＶＤ系、ＢＤ系、およびＨＤ
ＤＶＤ系の何れかであるかを識別する必要がある。特許文献１には、光ディスクを低速
回転状態にしておいて、ＤＶＤ用又はＨＤ ＤＶＤ用光ピックアップを用いて、所定の移
動範囲内で対物レンズを光ディスクに対して移動させ、光ディスク回転による面振れによ
る誤検出の影響を排除して、各光ディスクの記録層、表層で発生するＦＥ信号のＳ字カー
ブの個数や時間を計数した結果によりＢＤかＨＤ ＤＶＤ／ＤＶＤかＣＤであるかを判別
することが記載されている。
【特許文献１】特開２００７−９５１４４号公報
【発明の開示】
【発明が解決しようとする課題】
【０００５】
光ディスクの種類を判別するため、従来は光ディスクを回転させフォーカスサーチによ
って光ディスクの記録面の位置を計測し、光ディスク表面からの距離によって種類を判別
していた。ＢＤ系光ディスクの場合は表面から略０．１ｍｍのところに記録面があり、Ｄ
ＶＤ系またはＨＤ ＤＶＤ系光ディスクでは略０．６ｍｍ、ＣＤ系光ディスクでは略１．
２ｍｍのところに記録面があるため、この違いを検出し判別している。
【０００６】
ＢＤ系やＨＤ ＤＶＤ系光ディスクの再生または記録の機能を持たない光ディスク装置
に対して、ＢＤ系やＨＤ ＤＶＤ系光ディスクが装填された場合、再生不可ディスクとし
て判定されなくてはいけないが、記録層を探しにいこうとしたり、表面から略０．１ｍｍ
のところにある記録面にフォーカスを合わせて信号を読み取ろうとしたりして再生不可デ
ィスクと判定されるまで時間を要する場合があった。
【０００７】
本発明は上記したような事情に鑑み成されたものであって、ＢＤ系やＨＤ ＤＶＤ系光
ディスクの再生あるいは記録機能がない光ディスク装置にＢＤ系やＨＤ ＤＶＤ系光ディ
スクが装填された場合であっても速やかに判別することのできる光ディスク装置および光
ディスクの判別方法を提供することを目的とする。
【課題を解決するための手段】
【０００８】
上記目的を達成するために、本発明の光ディスク装置は、光ディスクにレーザ光を集光
する対物レンズを備え前記光ディスクからの反射光を検出して検出信号を出力する光ピッ
クアップと、前記検出信号からフォーカスエラー信号を生成するフォーカスエラー信号生
成手段と、前記対物レンズのフォーカス方向の移動時間と前記フォーカスエラー信号によ
って前記光ディスクの表面から情報記録面までの距離を計測する計測手段と、前記距離か
ら前記光ディスクの種類を判別する判別手段とを備え、前記判別手段は、前記光ディスク
の表面から最も近い情報記録面までの距離が略０．１ｍｍであり前記光ディスクの表面か
ら２番目近い情報記録面がないとき前記光ディスクを再生不可の光ディスクであると判別
することを特徴とする。
【０００９】
また、本発明の光ディスクの判別方法は、光ディスクにレーザ光を集光する対物レンズ
を備え前記光ディスクからの反射光を検出して検出信号を出力する光ピックアップを有す
る光ディスク装置において、装填されている光ディスクの種類を判別する光ディスクの判
別方法であって、前記検出信号からフォーカスエラー信号を生成するフォーカスエラー信
号生成工程と、前記対物レンズのフォーカス方向の移動時間と前記フォーカスエラー信号
によって前記光ディスクの表面から情報記録面までの距離を計測する計測工程と、前記距
離から前記光ディスクの種類を判別する判別工程とを備え、前記判別工程において、前記
光ディスクの表面から最も近い情報記録面までの距離が略０．１ｍｍであり前記光ディス
クの表面から２番目近い情報記録面がないとき前記光ディスクを再生不可の光ディスクで
あると判別することを特徴とする。
【発明の効果】
【００１０】
本発明によれば、ＢＤ系光ディスクの再生あるいは記録機能がない光ディスク装置にＢ
Ｄ系光ディスクが装填された場合であっても速やかに判別することができ、光ディスク装
置の円滑な処理動作が可能となる。
【発明を実施するための最良の形態】
【００１１】
本発明の実施例１について図面を参照しながら説明する。図１は、本発明の実施例１に
係る光ディスク装置を示すブロック図である。光ディスク２はＣＤ系、ＤＶＤ系の再生専
用あるいは記録型光ディスクである。例えばＤＶＤ系では、再生専用型のＤＶＤ−Ｖｉｄ
ｅｏ、ＤＶＤ−ＲＯＭ(Read Only Memory)、記録型のＤＶＤ−Ｒ（Recordable）／ＲＷ（
Rewritable）／ＲＡＭ（Random Access Memory）等がある。本発明の実施例に係る光ディ
スク装置はＢＤ系、またはＨＤ ＤＶＤ系の光ディスクの再生及び記録機能を有していな
い。光ディスク２はディスクモータ３によって回転駆動される。ディスクモータ３はディ
スクモータ制御回路４によって制御されている。
【００１２】
光ディスク２に対する情報の記録、再生は、光ピックアップ５によって行われる。光ピ
ックアップ５には、対物レンズ６が設けられており、対物レンズ６はフォーカシングアク
チュエータ７の駆動によりフォーカスシング方向（レンズの光軸方向）への移動が可能で
、またトラッキングアクチュエータ８の駆動によりトラッキング方向（レンズの光軸と直
交する方向で光ディスクの径方向）への移動が可能である。
【００１３】
記録データ生成回路９は情報記録時にホスト装置２５からインターフェース回路２４を
介して供給されるデータにエラー訂正コードを付加し、同期コードなどをつけて記録フォ
ーマットの形式に変更し、さらに変調し、変調されたデータをレーザ制御回路１０へ提供
する。レーザ制御回路１０は情報記録時（マーク形成時）に、記録データ生成回路９から
供給されるデータに基づいて、書き込み用信号を光ピックアップ５内のレーザダイオード
１１に供給する。
【００１４】
レーザダイオード１１は、波長が約７８０ｎｍ（nano meter）のＣＤ用のレーザダイオ
ード１１ａ、波長は約６５０ｎｍのＤＶＤ用のレーザダイオード１１ｂがあり、光ディス
ク装置に装着された光ディスクの種類によって使い分けられ、レーザ制御回路１０から供
給される信号に応じて選択されてレーザ光を出射する。
【００１５】
レーザダイオード１１から発せられるレーザ光は、光学部１２、対物レンズ６を介して
光ディスク２上に照射される。レーザダイオード１１から発せられるレーザ光の光ディス
ク２からの反射光は、対物レンズ６、光学部１２を介して光検出器１３に導かれる。光検
出器１３からの出力信号は、ＲＦアンプ１４へ供給される。
【００１６】
ＲＦアンプ１４は、光検出器１３からの検出信号を処理し、ジャストフォーカスからの
誤差を示すフォーカスエラー信号（ＦＥ信号）、レーザ光のビームスポット中心とトラッ
ク中心との誤差を示すトラッキングエラー信号（ＴＥ信号）、および再生信号（ＲＦ信号
）を生成し、生成されたＦＥ信号、ＴＥ信号、およびＲＦ信号をＡ／Ｄ変換器１５に供給
する。ＲＦアンプ１４は、光検出器１３からの検出信号を処理する際、使用されるレーザ
ダイオード１１の種類に応じて信号を生成する時のパラメータをそれぞれの適切な値に設
定して上記信号を生成する。Ａ／Ｄ変換器１５から出力された信号はバス２０を介してＣ
ＰＵ（Central Processing Unit）２１等に供給される。
【００１７】
フォーカス・トラッキング制御回路１６は、Ａ／Ｄ変換器１５から供給されたＦＥ信号
及びＴＥ信号に応じてフォーカス制御信号及びトラッキング制御信号を生成し、フォーカ
シングアクチュエータ７及びトラッキングアクチュエータ８に出力し対物レンズ６を駆動
する。これにより、レーザ光が光ディスク２の情報記録面上に常時ジャストフォーカスと
なるフォーカシングサーボ、及びレーザ光が光ディスク２上に形成されたトラック上を常
にトレースするトラッキングサーボが行われる。
【００１８】
ＲＦ信号は、Ａ／Ｄ変換器１５でデジタル信号に変換されチャネルビットのデータとし
てＰＬＬ回路１７に供給される。ＰＬＬ回路１７は、Ａ／Ｄ変換器１５から供給されるデ
ータからデータに同期したクロックとチャネルビット単位のチャネルデータ信号を生成し
、データ再生回路１８に出力する。データ再生回路１８ではフォーマットを解読して、チ
ャネルデータ信号を復調してバイトデータを再生し、再生された再生データはエラー訂正
回路１９へ出力される。エラー訂正回路１９では再生データを付与されているエラー訂正
コードを用いてエラー訂正を行った後、インターフェース回路２４を介してホスト装置２
５に出力される。
【００１９】
ディスクモータ制御回路４、変調回路９，レーザ制御回路１０、Ａ／Ｄ変換回路１５、
フォーカス・トラッキング制御回路１６、ＰＬＬ回路１７、データ再生回路１８、エラー
訂正回路１９等は、バス２０を介してＣＰＵ（Central Processing Unit）２１によって
制御される。
【００２０】
ＣＰＵ２１はインターフェース回路２４を介してホスト装置２５から供給される動作コ
マンドに従って、この光ディスク記録再生装置１を総合的に制御する。また、ＣＰＵ２１
は、ＲＡＭ（Random Access Memory）２２を記録再生時のバッファメモリ等の作業エリア
として使用し、ＲＯＭ（Read Only Memory）２３に記憶されたプログラムに従った所定の
制御を行う。
【００２１】
ＣＰＵ２１は、対物レンズのフォーカス方向の移動時間とフォーカスエラー信号によっ
て光ディスクの表面から情報記録面までの距離を計測する計測手段の機能を有する。また
、ＣＰＵ２１は、計測手段によって得られた光ディスクの表面から情報記録面までの距離
から光ディスクの種類を判別する判別手段としての機能を有し、光ディスク判別後の光デ
ィスク装置を制御する。
【００２２】
ＣＰＵ２１は、光ディスク装置１に光ディスク２が装填されると、初期動作として光デ
ィスクの判別を行う。光ディスクを回転させない状態で、対物レンズ６を一旦光ディスク
２の表面から遠ざけ、ＤＶＤ用の再生用レーザパワー以下のレーザ光を発光し、徐々に対
物レンズ６を光ディスク２の表面に近づけて光ディスク２の表面、記録面または記録面の
裏面側にある反射層の位置を検出するフォーカスサーチという動作を行う。ＤＶＤ用の再
生用レーザパワー以下のレーザ光によってフォーカスサーチを行うのでレーザ光のスポッ
トが小さく絞られることはなく、ディスクのデータを劣化させる恐れはない。
【００２３】
図２から図４に各種光ディスクの情報記録面の位置を示す。図２はＢＤ系光ディスクの
構造の模式図である。ＢＤ系光ディスクは、基板の厚さが略１．２ｍｍで光ディスク２の
表面から略０．１ｍｍのところに情報記録面があり、その裏面側には反射層がある。情報
記録面は２層の場合もある。図３はＤＶＤ系またはＨＤ ＤＶＤ系の光ディスクの構造の
模式図である。ＤＶＤ系またはＨＤ ＤＶＤ系の光ディスクは、基板の厚さが略１．２ｍ
ｍで光ディスク２の表面から略０．６ｍｍのところに情報記録面があり、その裏面側には
反射層がある。ＤＶＤ系またはＨＤ ＤＶＤ系とも情報記録面は２層の場合もある。
【００２４】
図４は、ＢＤ系とＤＶＤ系の両方の情報記録面を持つＢＤ−ＤＶＤハイブリッドディス
クまたはＢＤ−ＤＶＤコンビネーションディスクと呼ばれている光ディスクの模式図であ
る。また、ＢＤ系とＨＤ ＤＶＤ系の両方の情報記録面を持つＢＤ−ＨＤ ＤＶＤハイブリ
ッドディスクと呼ばれている光ディスクも存在する。どちらも基板の厚さが略１．２ｍｍ
で光ディスク２の表面から略０．１ｍｍのところにＢＤ用の情報記録面があり、その裏面
側には反射率が図２で示した通常のＢＤ系光ディスクより小さい反射層がある。さらに光
ディスク２の表面から略０．６ｍｍのところにＤＶＤ用あるいはＨＤ ＤＶＤ用の情報記
録面があり、その裏面側には反射層がある。
【００２５】
図５は、フォーカスサーチにおける対物レンズの移動の様子を模式的に示した図である
。光ディスク２に対して対物レンズ６を徐々に近づけていく様子を模式的に示している。
図５に示した光ディスク２にはＢＤ記録面とＤＶＤ、ＨＤ ＤＶＤ記録面の両方が記載さ
れているが、図４で示したＢＤ−ＤＶＤハイブリッドディスクに限定するものではなく、
説明上両方の記録面を示している。
【００２６】
図６は、フォーカスサーチにおけるレーザ光の合焦点位置とフォーカスエラー信号（Ｆ
Ｅ信号）の関係を示した図である。対物レンズ６を一旦光ディスク２の表面から遠ざけた
状態から、光ディスク２に対して対物レンズ６を一定速度で徐々に近づけていくと、最初
に光ディスクの表面におけるＦＥ信号の立上がり立下がり部が観測され、そのゼロクロス
点の時間を計測する。更に対物レンズ６を光ディスク表面に近づけていくとＢＤ用の情報
記録面がある場合には、表面から略０．１ｍｍのところでＦＥ信号の立上がり立下がり部
が観測されそのゼロクロス点の時間を計測する。ＤＶＤまたはＨＤ ＤＶＤ用の情報記録
面がある場合には、表面から略０．６ｍｍのところでＦＥ信号の立上がり立下がり部が観
測されそのゼロクロス点の時間を計測する。表面のゼロクロス点の時間と表面の後で観測
されたゼロクロス点の経過時間、図６におけるＴ１またはＴ２を計測する。
【００２７】
光ディスク装置２は、予め製造工程等でフォーカスサーチの際のレンズの移動時間と移
動距離の関係を学習し、その学習データがＲＯＭ２３に格納されている。ＣＰＵ２１は、
フォーカスサーチの際にＲＯＭ２３のデータと移動時間Ｔ１あるいはＴ２を比較すること
によって、Ｔ１あるはＴ２から移動距離を算出しＴ１あるはＴ２に相当する記録面がＢＤ
用記録面であるかＤＶＤ用あるいはＨＤ ＤＶＤ用記録面であるか判別する。移動時間と
移動距離からＤＶＤ用記録面かＨＤ ＤＶＤ用記録面かを判別することは難しく、光ディ
スクの管理情報を再生する等の動作が必要となる。
【００２８】
図７は、実施例１に係る光ディスク２の判別の動作を示したフローチャートである。Ｓ
１０において、ＣＰＵ２１は、光ディスク装置１に光ディスク２が装填されると、初期動
作として光ディスクを回転させない状態で、対物レンズ６を一旦光ディスク２の表面から
遠ざけ、ＤＶＤ用の再生用レーザパワー以下のレーザ光を発光する。
【００２９】
Ｓ１２において、ＣＰＵ２１は、徐々に対物レンズ６を光ディスク２の表面に近づけて
いき光ディスク２の表面、記録面または記録面の裏面側にある反射層の位置を検出するフ
ォーカスサーチを行う。
【００３０】
Ｓ１４において、ＣＰＵ２１は、表面から０．１ｍｍのところに記録面が有るか算出す
る。ＣＰＵ２１は、フォーカスサーチによって最初に光ディスクの表面におけるＦＥ信号
のゼロクロス点の時間を計測する。表面から次の記録面（光ディスクの表面から最も近い
情報記録面）について検出したＦＥ信号のゼロクロス点の時間を計測し、光ディスク表面
からの経過時間を計算し、ＲＯＭ２３のデータと比較して表面と次の記録面（光ディスク
の表面から最も近い情報記録面）との距離を算出する。そしてそれが０．１ｍｍに相当す
るかまたは０．６ｍｍに相当するかを算出する。０．１ｍｍであればＳ１６へ進み、０．
１ｍｍでなければＳ２４へ進む。
【００３１】
Ｓ１６において、ＣＰＵ２１は、更にフォーカスサーチを続行して光ディスクの表面か
ら２番目近い情報記録面をサーチする。表面から０．６ｍｍのところに記録層があるかど
うか計測する。０．６ｍｍに相当する記録面が計測されたならば、Ｓ２０へ進む。０．６
ｍｍに相当する記録面が計測されなければ装填された光ディスク２がＢＤ系光ディスクと
判定しＳ１８へ進む。
【００３２】
Ｓ１８において、ＣＰＵ２１は、装填された光ディスク２を再生不可光ディスクとして
エラー処理を実行する。
【００３３】
Ｓ２０において、ＣＰＵ２１は、０．６ｍｍのところにある情報記録面がＤＶＤ用であ
るかＨＤ ＤＶＤ用であるか判断する。ＤＶＤ用であれば装填された光ディスクはＢＤ・
ＤＶＤハイブリッドディスクと判定しＳ２２に移る。ＤＶＤ用でなければ装填された光デ
ィスクはＢＤ・ＨＤ ＤＶＤハイブリッドディスクと判定しＳ１８に移る。
【００３４】
Ｓ２２において、ＣＰＵ２１は、装填された光ディスクをＤＶＤディスクとして再生す
る。Ｓ１８において、ＣＰＵ２１は、装填された光ディスク２を再生不可光ディスクとし
てエラー処理を実行する。
【００３５】
Ｓ２４において、ＣＰＵ２１は、更にフォーカスサーチを続行して表面から０．６ｍｍ
のところに記録層があるか計測する。０．６ｍｍに相当する記録面が計測されたならば、
Ｓ２６へ進む。０．６ｍｍに相当する記録面が計測されなければＳ３０へ進む。
【００３６】
Ｓ２６において、ＣＰＵ２１は、０．６ｍｍのところにある情報記録面がＤＶＤ用であ
るかＨＤ ＤＶＤ用であるか判断する。ＤＶＤ用であれば装填された光ディスクはＤＶＤ
系光ディスクと判定しＳ２８に移る。ＤＶＤ用でなければ装填された光ディスクはＨＤ 
ＤＶＤ系光ディスクと判定しＳ３２に移る。
【００３７】
Ｓ２８において、ＣＰＵ２１は、装填された光ディスクをＤＶＤ系光ディスクとして再
生する。Ｓ３２において、ＣＰＵ２１は、装填された光ディスク２を再生不可光ディスク
としてエラー処理を実行する。
【００３８】
Ｓ３０において、ＣＰＵ２１は、更にフォーカスサーチを続行して表面から１．２ｍｍ
のところに記録層があるか計測する。１．２ｍｍに相当する記録面が計測されたならば、
装填された光ディスクはＣＤ系光ディスクと判定しＳ３４に移る。１．２ｍｍに相当する
記録面が計測されなければ記録面がない光ディスクと判定しＳ３２へ進む。
【００３９】
Ｓ３４において、ＣＰＵ２１は、装填された光ディスクをＣＤ系光ディスクとして再生
する。Ｓ３２において、ＣＰＵ２１は、装填された光ディスク２を再生不可光ディスクと
してエラー処理を実行する。
【００４０】
以上のように、ＣＰＵ２１は、装填された光ディスク２の表面から最も近い情報記録面
までの距離が略０．１ｍｍであり光ディスクの表面から２番目近い情報記録面がないとき
は、装填された光ディスクをＢＤ系光ディスクと判定し、この光ディスクを再生不可の光
ディスクであると判別する。
【００４１】
また、ＣＰＵ２１は、装填された光ディスクの表面から最も近い情報記録面までの距離
が略０．１ｍｍであり前記光ディスクの表面から２番目近い情報記録面が０．６ｍｍであ
るとき前記光ディスクをＢＤ・ＤＶＤハイブリッドディスクまたはＢＤ・ＨＤ ＤＶＤハ
イブリッドディスクと判定し、さらにＢＤ・ＨＤ ＤＶＤハイブリッドディスクは再生不
可の光ディスクであると判別し、ＢＤ・ＤＶＤハイブリッドディスクをＤＶＤ系光ディス
クとして再生する。従ってＢＤの情報記録面があるときは、ＢＤ・ＤＶＤハイブリッドデ
ィスクをＤＶＤ系光ディスクとして再生するが、これ以外は再生不可の光ディスクである
と判別する。このように判定することによって速やかに再生不可光ディスクの判定ができ
、光ディスク装置の処理動作が速くなる。
【００４２】
図８は、本発明の実施例２に係る光ディスク２の判別の動作を示したフローチャートで
ある。この実施例２のフローチャートが図７に示す実施例１のフローチャートと異なる点
は、ＣＰＵ２１が、装填された光ディスク２の表面から最も近い情報記録面までの距離が
略０．１ｍｍであることを検出した後の動作フローである。０．１ｍｍではないときの以
後の動作は図７に示した動作フローと同じである。
【００４３】
ＣＰＵ２１が、装填された光ディスク２の表面から最も近い情報記録面までの距離が略
０．１ｍｍであることを検出したならば、他の記録面をサーチすることなく直ぐに再生不
可光ディスクとしてエラー処理する。図７で示した実施例１の動作フローでは、ＢＤ用の
記録面を検出した後にその光ディスク２がＢＤ・ＤＶＤハイブリッドディスクかまたはＢ
Ｄ・ＨＤ ＤＶＤハイブリッドディスクかを検査していたが、実施例２では検査せずにＢ
Ｄ系光ディスクと判定し、直ぐに再生不可光ディスクとしてエラー処理する。
【００４４】
ＢＤ・ＤＶＤハイブリッドディスクやＢＤ・ＨＤ ＤＶＤハイブリッドディスクは特別
な構造を持つ光ディスクであり、市場に流通する数量は多くなく、従って実施例２のよう
な動作フローであっても不都合が生じない光ディスク装置の使用状況がある。
【００４５】
図７のＳ４４において、ＣＰＵ２１は、フォーカスサーチによって表面から０．１ｍｍ
のところに記録層があるか計測する。０．１ｍｍに相当する記録面が計測されたならば、
装填された光ディスク２はＢＤ系光ディスクと判定し、Ｓ４６へ進む。０．１ｍｍに相当
する記録面が計測されなければＳ４８進む。Ｓ４６において、ＣＰＵ２１は、装填された
光ディスク２を再生不可光ディスクとしてエラー処理を実行する。
【００４６】
以上のように、ＣＰＵ２１は、装填された光ディスク２の表面から最も近い情報記録面
までの距離が略０．１ｍｍであった場合には、ＢＤ系光ディスクとして再生不可の光ディ
スクであると判別するため、速やかに再生不可光ディスクの判定ができ、光ディスク装置
の処理動作が速くなる。
【図面の簡単な説明】
【００４７】
【図１】本発明の実施例１に係る光ディスク装置を示すブロック図。
【図２】ＢＤ系光ディスクの構造の模式図。
【図３】ＤＶＤ系またはＨＤ ＤＶＤ系の光ディスクの構造の模式図。
【図４】ＢＤ−ＤＶＤハイブリッドディスク光ディスクの模式図。
【図５】フォーカスサーチにおける対物レンズの移動の様子を模式的に示した図。
【図６】フォーカスサーチにおけるレーザ光の合焦点位置とフォーカスエラー信号の関係を示した図。
【図７】実施例１に係る光ディスクの判別の動作を示したフローチャート。
【図８】実施例２に係る光ディスク２の判別の動作を示したフローチャート。
【符号の説明】
【００４８】
１  光ディスク装置
２  光ディスク
５  光ピックアップ
６  対物レンズ
１０  レーザ制御回路
１１  レーザダイオード
１４  ＲＦアンプ
１５  Ａ／Ｄ変換回路
１６  フォーカス・トラッキング制御回路
２１  ＣＰＵ
２１ａ  計測手段
２１ｂ  判別手段
２３  ＲＯＭ
【図１】
2009245562.tif 000003
【図２】
2009245562.tif 000004
【図３】
2009245562.tif 000005
【図４】
2009245562.tif 000006
【図５】
2009245562.tif 000007
【図６】
2009245562.tif 000008
【図７】
2009245562.tif 000009
【図８】
2009245562.tif 000010